(57)【要約】【課題】バックアップデータを用いることなく消失したコンテンツを復元する。【解決手段】情報処理装置であるＰＣ２は、ＨＤＤに蓄積されたＣＤ、ＤＶＤ等のほかの記録媒体から再生した著作権保護された音楽コンテンツのファイルを、データ記録装置１を介してミニディスク９０に複製する。このときデータ記録装置１は、ＰＣ２に固有のＩＤをミニディスク９０に記録する。本具体例で使用する次世代ミニディスクには、音楽ファイル本体とともにコンテンツ固有のコンテンツＩＤもまた記録される。バックアップ復元時には、復元先になっている機器がチェックアウトしたＰＣと同一か照合し同一のとき復元する。【選択図】図１
2005227894.tif 000002
【特許請求の範囲】
【請求項１】
制限回数下でのみ複製を許可されることで著作権保護されたコンテンツを別の記録媒体に複製するデータ記録方法において、
上記コンテンツを別の記録媒体に複製するとともに上記コンテンツに固有のコンテンツ情報及びコンテンツの元の格納場所である機器に固有の機器情報を記録する記録工程と、
上記記録工程にて記録された後に上記格納場所に格納されたコンテンツが消失したとき上記複製された複製コンテンツのコンテンツ情報及び該コンテンツ情報に関連付けられた機器情報と書込先機器の機器情報とを照合する照合工程と、
上記照合工程にて照合できた場合、上記複製コンテンツを上記機器に書き戻す復元工程と
を有することを特徴とするデータ記録方法。
【請求項２】
上記復元工程は、復元しようとするコンテンツと該コンテンツが記録された記録媒体との組合せによって過去に復元処理を実行したか否かを判別する判別工程を有し、上記照合工程にて照合でき且つ以前に復元処理を実行したことがなければ上記複製コンテンツを上記機器に書き戻すことを特徴とする請求項１記載のデータ記録方法。
【請求項３】
上記復元工程は、復元先の機器が前回の復元処理の復元先と同一か否か判別する復元先判別工程と、前回の復元処理から一定期間が経過しているか否かを判別する復元間隔判別工程とを有し、上記照合工程にて照合でき且つ復元先機器が前回の復元処理の復元先と同一でなく前回の復元処理から一定期間が経過している場合、上記複製コンテンツを上記機器に書き戻すことを特徴とする請求項２記載のデータ記録方法。
【請求項４】
上記コンテンツ情報には、音楽コンテンツを再生するのに参照が必要なインデックス情報、該コンテンツの改竄チェック情報、セット毎の再生許可情報が含まれることを特徴とする請求項１記載のデータ記録方法。
【請求項５】
元の格納場所から別の記録媒体への複製は、コンテンツの使用権利譲渡であって、上記別の記録媒体から上記元の格納場所へコンテンツが移動される権利返却がなければ、上記元の格納場所ではコンテンツを使用できないことを特徴とする請求項１記載のデータ記録方法。
【請求項６】
上記別の記録媒体は、認証によって使用可能となる秘匿領域と通常の記録領域とを有し、上記コンテンツは、秘匿領域に記録されることを特徴とする請求項１記載のデータ記録方法。
【請求項７】
上記コンテンツには、音楽コンテンツ及び映像コンテンツが含まれることを特徴とする請求項１記載のデータ記録方法。
【請求項８】
制限回数下でのみ複製を許可されることで著作権保護されたコンテンツを別の記録媒体に複製するデータ記録装置において、
外部から入力したコンテンツを格納手段に記録する第１の記録手段と、
上記コンテンツを上記格納手段から別の記録媒体に複製するとともに上記コンテンツに固有のコンテンツ情報及び当該データ記録装置に固有の機器情報を別の記録媒体に記録する第２の記録手段と、
上記第２の記録手段にて別の記録媒体に記録された後に上記格納場所に格納されたコンテンツが消失したとき、上記複製された複製コンテンツのコンテンツ情報及び該コンテンツ情報に関連付けられた機器情報と書込先機器の機器情報とを照合し、照合できたとき上記第１の記録手段に上記複製コンテンツを上記元の格納場所に書き戻す処理を実行させる復元制御手段と
を備えることを特徴とするデータ記録装置。
【請求項９】
上記復元制御手段は、復元しようとするコンテンツと該コンテンツが記録された記録媒体との組合せによって過去に復元処理を実行したか否かを判別し、照合でき且つ以前に復元処理を実行したことがなければ上記複製コンテンツを上記機器に書き戻す処理を行うことを特徴とする請求項８記載のデータ記録装置。
【請求項１０】
上記復元制御手段は、復元先の機器が前回の復元処理の復元先と同一か否か判別するとともに前回の復元処理から一定期間が経過しているか否かを判別し、照合でき且つ復元先機器が前回の復元処理の復元先と同一でなく前回の復元処理から一定期間が経過している場合、上記複製コンテンツを上記機器に書き戻す処理を行うことを特徴とする請求項９記載のデータ記録装置。
【請求項１１】
上記コンテンツ情報には、音楽コンテンツを再生するのに参照が必要なインデックス情報、該コンテンツの改竄チェック情報、セット毎の再生許可情報が含まれることを特徴とする請求項８記載のデータ記録装置。
【請求項１２】
元の格納場所から別の記録媒体への複製は、コンテンツの使用権利譲渡であって、上記別の記録媒体から上記元の格納場所へコンテンツが移動される権利返却がなければ、上記元の格納場所ではコンテンツを使用できないことを特徴とする請求項８記載のデータ記録装置。
【請求項１３】
上記別の記録媒体は、認証によって使用可能となる秘匿領域と通常の記録領域とを有し、上記コンテンツは、秘匿領域に記録されることを特徴とする請求項８記載のデータ記録装置。
【請求項１４】
上記コンテンツには、音楽コンテンツ及び映像コンテンツが含まれることを特徴とする請求項８記載のデータ記録装置。
【請求項１５】
外部から入力したコンテンツを格納手段に記録する第１の記録手段と、上記コンテンツを上記格納手段から別の記録媒体に複製するとともに上記コンテンツに固有のコンテンツ情報及び当該データ記録装置に固有の機器情報を別の記録媒体に記録する第２の記録手段とを備え、制限回数下でのみ複製を許可されることで著作権保護されたコンテンツを別の記録媒体に複製するデータ記録装置と、
上記第２の記録手段にて別の記録媒体に記録された後に上記格納場所に格納されたコンテンツが消失したとき上記複製された複製コンテンツのコンテンツ情報及び該コンテンツ情報に関連付けられた機器情報と書込先機器の機器情報とを照合し、照合できたとき上記第１の記録手段に上記複製コンテンツを上記元の格納場所に書き戻す処理を実行させる復元制御手段とを備えるコンテンツ復元制御装置と
が互いにネットワークを介して接続されることを特徴とするデータ記録システム。
【請求項１６】
上記復元制御手段は、復元しようとするコンテンツと該コンテンツが記録された記録媒体との組合せによって過去に復元処理を実行したか否かを判別し、照合でき且つ以前に復元処理を実行したことがなければ上記複製コンテンツを上記機器に書き戻す処理を行うことを特徴とする請求項１５記載のデータ記録システム。
【請求項１７】
上記復元制御手段は、復元先の機器が前回の復元処理の復元先と同一か否か判別するとともに前回の復元処理から一定期間が経過しているか否かを判別し、照合でき且つ復元先機器が前回の復元処理の復元先と同一でなく前回の復元処理から一定期間が経過している場合、上記複製コンテンツを上記機器に書き戻す処理を行うことを特徴とする請求項１６記載のデータ記録システム。
【請求項１８】
上記コンテンツ情報には、音楽コンテンツを再生するのに参照が必要なインデックス情報、該コンテンツの改竄チェック情報、セット毎の再生許可情報が含まれることを特徴とする請求項１５記載のデータ記録システム。
【請求項１９】
元の格納場所から別の記録媒体へ複製は、コンテンツの使用権利譲渡であって、上記別の記録媒体から上記元の格納場所へコンテンツが移動される権利返却がなければ、上記元の格納場所ではコンテンツを使用できないことを特徴とする請求項１５記載のデータ記録システム。
【請求項２０】
上記別の記録媒体は、認証によって使用可能となる秘匿領域と通常の記録領域とを有し、上記コンテンツは、秘匿領域に記録されることを特徴とする請求項１５記載のデータ記録システム。
【請求項２１】
上記コンテンツには、音楽コンテンツ及び映像コンテンツが含まれることを特徴とする請求項１５記載のデータ記録システム。
【発明の詳細な説明】
【技術分野】
【０００１】
本発明は、データ記録方法及びデータ記録装置、並びにデータ記録システムに関し、特に、制限回数下でのみ複製を許可されることで著作権保護されたコンテンツを、編集性を重視したフォーマットでデータが記録された別の記録媒体に複製するデータ記録方法及びデータ記録装置、並びにデータ記録システムに関する。
【背景技術】
【０００２】
近年、ディスク等の記録媒体は、大容量化のための技術が各種開発されている。また、１つのメディアについて多様なデータ、例えば、オーディオデータ、コンピュータ用途のデータ等を自在に記録再生できるようにすることも求められている。しかし、汎用メディアの開発に関しては、旧来の記録再生装置等の互換性、整合性も重要とされる。また、物理的にみても、旧来の資産を有効利用できることが好ましい。
【０００３】
現在広く普及しているミニディスク（Mini Disc；ＭＤ（登録商標））を例にあげる。ミニディスクは、公知のとおり、直径６４ｍｍの光磁気ディスクであって、音楽等のオーディオデータを記録再生できる。ミニディスクでは、オーディオデータは、ＡＴＲＡＣ方式によってデータ量が１／５〜１／１０に圧縮されて記録される。オーディオデータを例にとると、８０〜１６０分程度の記録が可能となっている。また、ミニディスクは、記録データに対して、分割（ディバイド）、連結（コンバイン）、消去（イレーズ）、移動（トラックナンバムーブ）等、高い編集性を実現するファイルシステムになっている。
【０００４】
ＣＤ−ＤＡ（Compact Disc Digital Audio）、ＤＶＤ（Digital Versatile Disc）等のパッケージメディアに記録された音楽、映像等のコンテンツデータをパーソナルコンピュータ（ＰＣ）にて再生し、ＰＣのＨＤＤ（Hard Disc Drive）を１次記録媒体として、２次記録媒体であるミニディスクに複製（コピー）又は移動（ムーブ）する技術が開示されている（例えば、特許文献１参照。）。
【０００５】
特許文献１では、ＰＣと端末間におけるデータ転送時に転送用データを暗号化し、更にコンテンツデータ（トラックとも呼ばれる楽曲等の単位となるデータ）を編集してもコンテンツの権利管理を行うことと、ＳＤＭＩ（Secure Digital Music Initiative）方式におけるいわゆるチェックイン（権利返却）／チェックアウト（権利譲渡）の整合性をとることを実現している。
【０００６】
ところが、例えば、ＰＣ上の著作権保護された音楽コンテンツをミニディスク（ＭＤ）、半導体メディア等にチェックアウトした状態で元の音楽コンテンツ或いは音楽コンテンツに関する何らかの情報をバックアップしないでＰＣ上の音楽コンテンツが消失されてしまった場合、チェックインとチェックアウトの整合性がとれず音楽コンテンツが使用できなくなる虞があった。また、例えばユーザが関連サイトから正規手続を行ってダウンロードしたコンテンツであっても、チェックインとチェックアウトの整合性がとれないために使用できなくなったコンテンツを復元する方法がなかった。このように従来では、バックアップをとることによって消失したデータを復元する方法はあっても、その都度バックアップをとる必要があった。
【０００７】
このようなチェックイン／チェックアウトの仕組みによるものばかりでない。例えば、元の格納場所の記憶容量が一杯になり、過去のあるデータを消去して新規データを記録した場合、消去した情報がバックアップしてなければ、当然復元することができない。また、仮にデータを別の記録媒体等に複製しバックアップしてあったとしても、ユーザ自身が消去したデータを覚えていなくては復元することもできないという問題点があった。
【０００８】
【特許文献１】特開２００２−３７３４７０号公報
【発明の開示】
【発明が解決しようとする課題】
【０００９】
本発明は、バックアップデータを用いることなく、悪意あるユーザによる不正な複製の結果得られたコンテンツと正規手続を行ってダウンロードしたコンテンツであるが複製チェックインとチェックアウトの整合性がとれないコンテンツとを区別して、ＰＣが故障したときなどでもコンテンツの復元を可能にするとともに、記録媒体からの復元操作による違法コピーを防ぐことが可能なデータ記録方法及びデータ記録装置、並びにデータ記録システムを提供することを目的とする。
【課題を解決するための手段】
【００１０】
上述した目的を達成するために、本発明に係るデータ記録方法は、コンテンツを別の記録媒体に複製するとともにコンテンツに固有なコンテンツ情報及びコンテンツの元の格納場所である機器に固有の機器情報を記録する記録工程と、記録工程にて記録された後に格納場所に格納されたコンテンツが消失したとき複製された複製コンテンツのコンテンツ情報及び該コンテンツ情報に関連付けられた機器情報と保存手段に保存された機器情報とを照合する照合工程と、照合工程にて照合できた場合、複製コンテンツを機器に書き戻す復元工程とを有する。
【００１１】
復元工程は、復元しようとするコンテンツと該コンテンツが記録された記録媒体との組合せによって過去に復元処理を実行したか否かを判別する判別工程を有し、照合工程にて照合でき且つ以前に復元処理を実行したことがなければ複製コンテンツを機器に書き戻す。また、復元工程は、復元先の機器が前回の復元処理の復元先と同一か否か判別する復元先判別工程と、前回の復元処理から一定期間が経過しているか否かを判別する復元間隔判別工程を有し、照合工程にて照合でき且つ復元先機器が前回の復元処理の復元先と同一でなく前回の復元処理から一定期間が経過している場合、複製コンテンツを機器に書き戻すようにしてもよい。
【００１２】
ここでコンテンツ情報には、音楽コンテンツを再生するのに参照が必要なインデックス情報、該コンテンツの改竄チェック情報、セット毎の再生許可情報が含まれる。また、本発明に係るデータ記録方法は、元の格納場所から別の記録媒体への複製は、コンテンツの使用権利譲渡であって、別の記録媒体から元の格納場所へコンテンツが移動される権利返却がなければ、元の格納場所ではコンテンツを使用できないというコンテンツ管理手法とともに用いるとよい。
【００１３】
また、認証によって使用可能となる秘匿領域と通常の記録領域とを有する記録媒体であってコンテンツが秘匿領域に記録されるものをここでの別の記録媒体として使用することが好ましい。
【００１４】
また、上述した目的を達成するために、本発明に係るデータ記録装置は、外部から入力したコンテンツを格納手段に記録する第１の記録手段と、コンテンツを格納手段から別の記録媒体に複製するとともにコンテンツに固有のコンテンツ情報及び当該データ記録装置に固有の機器情報を別の記録媒体に記録する第２の記録手段と、第２の記録手段にて別の記録媒体に記録された後に格納場所に格納されたコンテンツが消失したとき複製された複製コンテンツのコンテンツ情報及び該コンテンツ情報に関連付けられた機器情報と書込先機器の機器情報とを照合し、照合できたとき第１の記録手段に複製コンテンツを元の格納場所に書き戻す処理を実行させる復元制御手段とを備え、復元制御手段によって、別の記録媒体に記録されたコンテンツが以前に元の格納場所から複製したコンテンツであると照合されると消失したコンテンツを復元する。
【００１５】
復元制御手段は、復元しようとするコンテンツと該コンテンツが記録された記録媒体との組合せによって過去に復元処理を実行したか否かを判別し、照合でき且つ以前に復元処理を実行したことがなければ複製コンテンツを機器に書き戻す処理を行う。また、復元制御手段は、復元先の機器が前回の復元処理の復元先と同一か否か判別するとともに前回の復元処理から一定期間が経過しているか否かを判別し、照合でき且つ復元先機器が前回の復元処理の復元先と同一でなく前回の復元処理から一定期間が経過している場合、複製コンテンツを機器に書き戻す処理を行うようにしてもよい。
【００１６】
ここでコンテンツ情報には、音楽コンテンツを再生するのに参照が必要なインデックス情報、該コンテンツの改竄チェック情報、セット毎の再生許可情報が含まれる。また、本発明に係るデータ記録装置には、元の格納場所から別の記録媒体への複製は、コンテンツの使用権利譲渡であって、別の記録媒体から元の格納場所へコンテンツが移動される権利返却がなければ、元の格納場所ではコンテンツを使用できないというコンテンツ管理手法とともに用いるとよい。
【００１７】
また、認証によって使用可能となる秘匿領域と通常の記録領域とを有する記録媒体であってコンテンツが秘匿領域に記録されるものをここでの別の記録媒体として使用することが好ましい。
【００１８】
更に、上述した目的を達成するために、本発明に係るデータ記録システムは、外部から入力したコンテンツを格納手段に記録する第１の記録手段と、コンテンツを格納手段から別の記録媒体に複製するとともにコンテンツに固有のコンテンツ情報及び当該データ記録装置に固有の機器情報を別の記録媒体に記録する第２の記録手段とを備え、制限回数下でのみ複製を許可されることで著作権保護されたコンテンツを別の記録媒体に複製するデータ記録装置と、第２の記録手段にて別の記録媒体に記録された後に格納場所に格納されたコンテンツが消失したとき複製された複製コンテンツのコンテンツ情報及び該コンテンツ情報に関連付けられた機器情報と保存手段に保存された機器情報とを照合し、照合できたとき第１の記録手段に複製コンテンツを元の格納場所に書き戻す処理を実行させる復元制御手段とを備えるコンテンツ復元制御装置とが互いにネットワークを介して接続されてなる。
【００１９】
復元制御手段は、復元しようとするコンテンツと該コンテンツが記録された記録媒体との組合せによって過去に復元処理を実行したか否かを判別し、照合でき且つ以前に復元処理を実行したことがなければ複製コンテンツを機器に書き戻す処理を行う。また、復元制御手段は、復元先の機器が前回の復元処理の復元先と同一か否か判別するとともに前回の復元処理から一定期間が経過しているか否かを判別し、照合でき且つ復元先機器が前回の復元処理の復元先と同一でなく前回の復元処理から一定期間が経過している場合、複製コンテンツを機器に書き戻す処理を行うようにしてもよい。
【００２０】
ここでコンテンツ情報には、音楽コンテンツを再生するのに参照が必要なインデックス情報、該コンテンツの改竄チェック情報、セット毎の再生許可情報が含まれる。また、本発明に係るデータ記録システムは、元の格納場所から別の記録媒体への複製は、コンテンツの使用権利譲渡であって、別の記録媒体から元の格納場所にコンテンツが移動される権利返却がなければ、元の格納場所ではコンテンツを使用できないというコンテンツ管理手法とともに用いるとよい。
【発明の効果】
【００２１】
本発明に係るデータ記録方法及びデータ記録装置によれば、悪意あるユーザによる不正な複製の結果得たコンテンツと正規手続を行ってダウンロードしたコンテンツであるが複製チェックインとチェックアウトの整合性がとれないコンテンツとを区別して、ＰＣ故障時などにコンテンツが消失してもデータの復元が可能になる。更に、この復元操作を利用した違法コピーを防ぐこともできる。またこのとき、本発明に係るデータ記録方法及びデータ記録装置は、バックアップデータを必要としない。
【発明を実施するための最良の形態】
【００２２】
本発明に係るデータ記録装置は、例えば、オーディオデータ、ＰＣデータ等のように異なるフォーマットで作成された異なるデータを扱うことができる記録媒体の記録装置である。記録媒体は、大容量記録が可能であることを特徴とした記録媒体であれば、半導体メモリ、ディスク状記録媒体等制限なく使用できるが、本具体例ではディスク状の光磁気記録媒体であるミニディスク（登録商標）を用いる。
【００２３】
特に、本具体例として示すデータ記録装置は、従来のミニディスクのほか、トラックピッチを狭くし線速度及び変調方式を変更する等の改良を加えることで記録データの高密度化を実現し、更に、通常の記録領域と認証によって使用可能となる秘匿領域（セキュア領域）とを設けた次世代ミニディスクにも対応している。これら次世代ミニディスクは、ＵＴＯＣとは異なる新たな管理データ構成を採用し、平文にて記録されていた従来ミニディスクと異なり、特定のデータは暗号化されて記録されるようになっている。次世代ミニディスクでは、著作権が発生する音楽コンテンツ、映像コンテンツ等のデータは、所定フォーマットでセキュア領域に記録され、セキュア領域を参照可能な装置によってのみ再生できるようになっている。新たな変調方式を採用したミニディスクでは、高音質の音楽データを長時間記録再生することを可能にしたことから、１枚のディスクで管理される楽曲数が膨大になっている。また、このミニディスクは、ＦＡＴファイルシステムを使ってデータを管理することによりコンピュータとの親和性が図られている。
【００２４】
本具体例では、コンテンツとして音楽コンテンツを取り上げ、ＡＴＲＡＣ（登録商標）形式のオーディオデータがこの秘匿領域に記録可能な特定データとして扱われるものとする。ＭＰ３（MPEG1 Audio Layer-3）形式、ＷＭＡ（Windows Media Audio）形式等、ＡＴＲＡＣ以外のオーディオデータ、画像データ、テキストデータ等のデータは、通常記録領域に記録される。秘匿領域と通常記録領域とを有する次世代ミニディスクの詳細については後述する。
【００２５】
本具体例にて示すデータ記録装置は、ハードディスクドライブ（ＨＤＤ）等のデータ蓄積部を備えたパーソナルコンピュータのような情報処理装置に接続され、著作権保護された音楽コンテンツをＣＤ（Compact Disc）、ＤＶＤ（Digital Versatile Disc）等のほかの記録媒体から再生されて情報処理装置に内蔵されたデータ蓄積部にリッピング若しくはダビングされたコンテンツを、更に予め決められた複製制限下で別の記録媒体に複製するためのデータ記録装置である。また、いわゆるインターネットのようなネットワークを用いた定額制の音楽配信サービス（ＥＭＤ：Electronic Music Distribution）によって提供された音楽コンテンツも同様に扱うことができる。
【００２６】
したがって、本具体例にて示すデータ記録装置が接続される情報処理装置は、ネットワークを介しての流通を前提として著作権保護を施されたディジタルオーディオデータを再生できる仕組みを備えたＥＭＤプレーヤとしての機能を有している。また、データ記録装置は、ＳＤＭＩ（Secure Digital Music Initiative）方式によって、いわゆるチェックイン（権利返却）／チェックアウト（権利譲渡）の整合性をとることでコンテンツデータを管理できるようになっている。
【００２７】
以下、図面を用いて、本発明の具体例として示す音楽コンテンツのファイル（音楽ファイル）復元の概略について詳細に説明する。本具体では、次世代ミニディスクであるミニディスク９０に対してデータを記録できるデータ記録装置１が情報処理装置であるＰＣ２に接続されている場合について示す。ＳＤＭＩ方式に則れば、１次記録媒体としてのＨＤＤを備えたＰＣ２から２次記録媒体としてのミニディスク９０に音楽ファイルをチェックアウトした後、仮に、１次記録媒体を有するＰＣ２上の音楽データが破損或いは消失されると、転送した音楽ファイルの返却ができなくなる。この場合、チェックアウトとチェックインとの整合がとれずにチェックインＮＧとなってコンテンツそのものが使用できなくなることがある。
【００２８】
そこで、本具体例では２次記録媒体上の音楽ファイルをＰＣ２にアップロードして復元できるようにする。このとき復元操作による違法コピーを防ぐ方法として下記の２通りの方法があげられる。
【００２９】
まず、第１の方法について図１を用いて説明する。図１に示すように、音楽データのチェックアウト時に、ＰＣ２の機器ＩＤを２次記録媒体であるミニディスク９０に記録し、バックアップ復元時には、復元先になっている機器がチェックアウトしたＰＣと同一か照合し同一のとき復元する。
【００３０】
情報処理装置であるＰＣ２は、図１に模式的に示すように、ＣＤ、ＤＶＤ等のほかの記録媒体から再生した著作権保護された音楽コンテンツをデータ蓄積部であるＨＤＤに蓄積する。ＨＤＤに蓄積された音楽ファイルを、データ記録装置１を介してミニディスク９０に複製する。このときデータ記録装置１は、ＰＣ２に固有のＩＤをミニディスク９０に記録する。ＰＣの機器ＩＤとして実際には、ネットワークカードのＩＤ、ハードディスクのＩＤ等を用いることができる。
【００３１】
本具体例で使用する次世代ミニディスクには、音楽ファイル本体とともにコンテンツ固有のコンテンツＩＤもまた記録される。したがって、ＳＤＭＩ方式に則れば、音楽コンテンツは、１次記録媒体としてのＨＤＤを備えたＰＣ２から２次記録媒体としてのミニディスク９０にデータ記録装置１を介して転送されたことになる。ここでコンテンツＩＤには、コンテンツを再生するのに参照が必要なトラックインデックスファイル（ＴＩＦ）、コンテンツの改竄チェック情報としてのＭＡＣが纏められたＭＡＣファイル、再生機器毎の再生許可情報としてのＥＫＢ（Enabling Key Block）を纏めたＥＫＢファイル等の音楽コンテンツを暗号化するための暗号化情報が含まれている。
【００３２】
このようにコンテンツをチェックアウトしたとき、図２に示すようにＰＣ２上の音楽データが破損或いは消失されると転送した音楽ファイルの返却ができなくなる。この場合、データ記録装置１は、復元先に指定された機器が音楽ファイルをチェックアウトしたＰＣ２と同一かどうかを照合する。データ記録装置１は、チェックアウト時に音楽ファイルとともに記録したＰＣ２の機器ＩＤと復元先に指定された機器の機器ＩＤとを比較し、同一であれば、ミニディスク９０に記録された音楽ファイルを接続された機器に送る。これにより破損或いは消失した元の音楽ファイルが復元される。
【００３３】
続いて、第２の方法について図３を用いて説明する。第２の方法では、データ記録装置１とこれに接続されるＰＣ２のほかに複製と復元の履歴を管理するコンテンツ復元制御装置としての管理装置３を用意する。管理装置３は、音楽ファイルの元の格納場所であるＰＣ２の機器ＩＤと、音楽ファイルのコンテンツＩＤと、複製先であるミニディスク９０に固有の媒体ＩＤとを対応付けて記憶しており、ＰＣ２とはネットワークを介して接続されている。
【００３４】
管理装置３は、音楽ファイルが複製される際、音楽ファイルの元の格納場所であるＰＣ２の機器ＩＤと、音楽ファイルのコンテンツＩＤと、複製先であるミニディスク９０に固有の媒体ＩＤとを対応付けて複製の履歴として記憶し、ＰＣ２から復元の要請があった場合、複製先のミニディスク９０に記録されたコンテンツＩＤと媒体ＩＤとＰＣ２の機器ＩＤとを照合する。複製した履歴が判明した場合、ミニディスク９０に記録された音楽ファイルをＰＣ２のＨＤＤに書き戻すことを許可する。これにより、ＰＣ２のＨＤＤに格納された元の音楽ファイルが、万が一破損或いは消失した場合でも、管理装置３に記録された複製の履歴情報によって、ＰＣ２からデータ記録装置１を介してミニディスク９０に転送された音楽ファイルであることが判明すればＰＣ２に音楽ファイルを復元することができる。
【００３５】
また、第２の方法では、同一のミニディスクから復元を装って短期間に複数のＰＣに複製されることを防ぐために、更に、過去の一定期間復元処理を行っているか否かを判別して、過去一定期間復元処理を行っていなければ復元要請に応えることができるようにする。この場合には、ミニディスク９０に音楽ファイルとともに複製ファイルが元の音楽ファイルを復元するために使用されたか否かを判別するフラグを付ける。
【００３６】
管理装置３においてファイルを復元できるか否かを判断する処理を図４に示す。まず、管理装置３は、ＰＣ２から復元要請があると、ステップＳ１として、復元しようとするトラックと、このトラックに対して現在挿入されているミニディスク９０との組合せによって過去に復元処理を実行したか否かを判別する。このミニディスク９０とトラックを用いて過去に修復処理を実行したことがなければ、復元処理を許可する。一方、ミニディスク９０とトラックを用いて過去に修復処理を実行したことがあった場合、ステップＳ２において、復元先の機器が前回の復元処理の復元先と同一であるか否か判別する。復元先の機器が前回の復元処理の復元先と同一であれば、復元処理を許可する。復元先の機器が前回の復元処理の復元先と同一でなければ、ステップＳ３において、前回の復元処理から一定期間が経過しているか否かを判別し、経過していれば復元処理を許可し、経過していなければ復元処理を許可しない。
【００３７】
このように、上述した第１及び第２の方法によれば、ＰＣ上の著作権保護されたファイルが破損又は消失したとき、バックアップデータを用いなくとも、少なくとも機器ＩＤとコンテンツＩＤが照合できれば、このファイルをチェックアウトした先の記録媒体からアップロードして元の格納場所のファイルを復元することができる。更に、ネットワーク上に管理装置３を設けて、記録媒体の媒体ＩＤ、音楽ファイルのコンテンツＩＤ、ＰＣの機器ＩＤ等に基づく復元履歴を管理することで違法な復元を回避することができる。
【００３８】
上述したような機器ＩＤは、各部品又はＰＣ本体を交換することによって変わってしまうことがある。そのため、第２の方法では、ＰＣのＩＤが異なっても過去一定期間復元の操作を行っていなければ、復元要請に応えることができるようにしてもよい。また、チェックイン／チェックアウトに限らず、ＰＣ２のＨＤＤからミニディスク９０への単なる複製処理であってもよい。ＰＣ２では、音楽ファイル、映像ファイル、データファイル等のファイル種類にとらわれず記録可能であるため、記録を重ねるうちにＨＤＤの記憶容量が一杯になって、今記録しなくてはならないデータのためにそれまで蓄積したデータの一部を消去する必要が生じることもある。このような場合でも、ユーザは消去したデータが分からなくなるという心配がない。なお、ここで説明したデータ記録装置１とＰＣ２は、一体化された装置であってもよい。すなわち、ミニディスク９０へのデータ記録装置を備えたＰＣ２であってもよい。
【００３９】
以下、本発明の具体例として示すデータ記録装置１について、図面を参照して詳細に説明する。本具体例にて適用するミニディスクにおいて秘匿領域に記録されるデータは、オーディオファイルであって、ここでは、ＡＴＲＡＣ（Adaptive TRansform Acoustic Coding）方式、ＡＴＲＡＣ３方式、ＡＴＲＡＣ３ｐｌｕｓ方式に基づくデータである。データ記録装置１は、図５に示すように、メディアドライブ部１１と、メモリ転送コントローラ１２と、クラスタバッファメモリ１３と、補助メモリ１４と、ＵＳＢインタフェース１５、１６と、ＵＳＢハブ１７と、システムコントローラ１８と、オーディオ処理部１９とを備えている。データ記録装置１は、パーソナルコンピュータ（以下、ＰＣと記す。）１００と接続でき、ミニディスクをオーディオデータ記録メディアとして使用できるほか、ＰＣ等の外部ストレージとしても使用できる。
【００４０】
データ記録装置１におけるメディアドライブ部１１は、装填されたミニディスク９０に対する記録及び／又は再生を行う。メディアドライブ部１１の内部構成は、後段にて説明する。
【００４１】
メモリ転送コントローラ１２は、メディアドライブ部１１からの再生データ又はメディアドライブ部１１に供給する記録データの送受制御を行う。クラスタバッファメモリ１３は、メディアドライブ部１１によってミニディスク９０のデータトラックから高密度データクラスタ単位で読み出されたデータをメモリ転送コントローラ１２の制御に基づいてバッファリングする。補助メモリ１４は、メディアドライブ部１１によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１２の制御に基づいて記憶する。
【００４２】
システムコントローラ１８は、ＵＳＢインタフェース１６、ＵＳＢハブ１７を介して接続されたＰＣ１００との間で通信可能であり、このＰＣ１００との間の通信制御を行って、書込要求、読出要求等のコマンドの受信、ステイタス情報、その他の必要情報の送信等を行うとともにデータ記録装置１全体を統括制御している。システムコントローラ１８は、例えば、ミニディスク９０がメディアドライブ部１１に装填されると、ミニディスク９０から管理情報等を読み出すようメディアドライブ部１１に指示し、メモリ転送コントローラ１２によって読み出されたＰＴＯＣ、ＵＴＯＣ等の管理情報等を補助メモリ１４に格納させる。システムコントローラ１８は、これらの管理情報を読み込むことによってミニディスク９０のトラック記録状態を把握している。また、記録されるコンテンツデータのファイル情報、及び記録されるコンテンツデータのコンテンツ単位毎の暗号化情報を含むコンテンツ管理情報を記録する領域をディスク初期化時にミニディスクの最内周の所定領域に確保する。
【００４３】
そして、システムコントローラ１８は、ＰＣ１００からあるＦＡＴセクタの読出要求があった場合、メディアドライブ部１１に対して、このＦＡＴセクタを含むデータクラスタの読出を実行する旨の信号を与える。読み出されたデータクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。このとき、システムコントローラ１８は、クラスタバッファメモリ１３に書き込まれている高密度データクラスタのデータから、要求されたＦＡＴセクタのデータを読み出す信号を与え、ＵＳＢインタフェース１５、ＵＳＢハブ１７を介して、ＰＣ１００に送信する、又はオーディオ再生処理するための制御を行う。
【００４４】
また、システムコントローラ１８は、ＰＣ１００から、あるＦＡＴセクタへの書込要求があった場合、メディアドライブ部１１に対して、補助メモリ１４に基づいてこのＦＡＴセクタを含むデータクラスタの読出を実行させる。読み出されたデータクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。システムコントローラ１８は、ＰＣ１００から送信されたＦＡＴセクタのデータ（記録データ）を、ＵＳＢインタフェース１５を介してメモリ転送コントローラ１２に供給し、クラスタバッファメモリ１３上で該当するＦＡＴセクタのデータの書換えを実行させる。
【００４５】
更にシステムコントローラ１８は、メモリ転送コントローラ１２に指示して、必要なＦＡＴセクタが書き換えられた状態でクラスタバッファメモリ１３に記憶されているデータクラスタのデータを記録データとしてメディアドライブ部１１に転送させる。このとき、メディアドライブ部１１は、装着されているミニディスクが対応している変調方式でデータクラスタの記録データを変調して書き込む。
【００４６】
ところで本具体例のように、ミニディスク９０が秘匿領域と通常記録領域とを有し、各領域に記録されるデータが予め決められている場合には、システムコントローラ１８は、記録再生するデータがオーディオトラックかデータトラックかに応じて指定された記録領域に基づいたアクセスをメディアドライブ部に指示することになる。データ記録装置１では、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【００４７】
なお、本具体例として示すデータ記録装置１において、上述した記録再生制御は、データトラックを記録再生する際の制御であり、ＭＤオーディオデータ（オーディオトラック）を記録再生する際のデータ転送は、オーディオ処理部１９を介して行われる。
【００４８】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。更に、オーディオ処理部１９は、出力系として、デジタルオーディオデータ出力部、Ｄ／Ａ変換器及びライン出力回路／ヘッドホン出力回路等のアナログ音声信号出力部を備えている。
【００４９】
ミニディスク９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。メディアドライブ部１１では、転送された圧縮データをＥＦＭ変調方式又はＲＬＬ（１−７）ＰＰ変調方式で変調してミニディスク９０の秘匿領域にオーディオトラックとして書き込む。ＡＴＲＡＣ以外の圧縮方式で圧縮されたデータは、通常記録領域に一般データとして書き込まれる。
【００５０】
メディアドライブ部１１は、ミニディスク９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００５１】
なお、図５に示す構成は一例であって、例えば、データ記録装置１をＰＣ１００に接続してデータトラックのみ記録再生する外部ストレージ機器として使用する場合、オーディオ処理部１９は不要になる。一方、オーディオ信号を記録再生することを主たる目的とする場合、オーディオ処理部１９を備え、更にユーザインタフェースとして操作部及び表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インタフェースのほか、汎用の接続インタフェースが適用できる。
【００５２】
続いて、データ記録装置１におけるメディアドライブ部１１及びオーディオ処理部１９の周辺構成について、図６を用いて詳細に説明する。本発明に係るデータ記録装置１は、秘匿領域と通常記録領域とを有するミニディスクに異なるフォーマットで作成された複数の異なるデータのうち所定の画像データとの関連付けを許可するフォーマットを表したリンク情報に基づいて、リンクが許可されたデータに対応付けて画像データを再生することを特徴としており、特に、ここでのリンク情報とは、異なるフォーマットで作成された複数の異なるデータのうち秘匿領域に記録されるオーディオデータに画像データの関連付けを許可するフォーマットを表した対応テーブルである。
【００５３】
メディアドライブ部１１は、ミニディスク９０に対して記録再生する記録処理系として、ミニディスク９０の記録方式であるＥＦＭ変調・ＡＣＩＲＣエンコードを実行する構成を備え、再生処理系として、ミニディスク９０を再生するためのＥＦＭ復調・ＡＣＩＲＣデコードを実行する構成とを備える。また、メディアドライブ部１１は、装填されたミニディスク９０をスピンドルモータ３１によってＣＬＶ方式又はＺＣＡＶ方式にて回転駆動する。記録再生時には、このミニディスク９０に対して、光学ヘッド３２からレーザ光が照射される。
【００５４】
光学ヘッド３２は、記録時に記録トラックをキュリー温度まで加熱するための高レベルのレーザ出力を行い、また再生時には、磁気カー効果により反射光からデータを検出するための比較的低レベルのレーザ出力を行う。このため光学ヘッド３２は、レーザ出力手段としてのレーザダイオード、偏光ビームスプリッタ、対物レンズ等からなる光学系及び反射光を検出するためのディテクタが搭載されている。光学ヘッド３２に備えられる対物レンズとしては、例えば２軸機構によってディスク半径方向及びディスクに接離する方向に変位可能に保持されている。
【００５５】
本具体例では、媒体表面の物理的仕様が異なる複数種類のミニディスクに対して記録再生可能とし、両ディスクに対して最大限の再生特性を得るために、光学ヘッド３２の読取光光路中にデータ読み取り時のビットエラーレートを最適化できる位相補償板を設ける。
【００５６】
ミニディスク９０を挟んで光学ヘッド３２と対向する位置には、磁気ヘッド３３が配置されている。磁気ヘッド３３は、記録データによって変調された磁界をミニディスク９０に印加する。また、図示しないが光学ヘッド３２全体及び磁気ヘッド３３をディスク半径方向に移動させためのスレッドモータ及びスレッド機構が備えられている。
【００５７】
このメディアドライブ部１１では、光学ヘッド３２、磁気ヘッド３３による記録再生ヘッド系、スピンドルモータ３１によるディスク回転駆動系のほかに、記録処理系、再生処理系、サーボ系等が設けられる。記録処理系としては、ミニディスク９０への記録時にＥＦＭ変調、ＡＣＩＲＣエンコードを行う部位が設けられる。また、再生処理系として、ミニディスク９０の再生時にＥＦＭ変調に対応する復調及びＡＣＩＲＣデコードを行う部位が設けられる。
【００５８】
光学ヘッド３２のミニディスク９０に対するレーザ照射によりその反射光として検出された情報（フォトディテクタによりレーザ反射光を検出して得られる光電流）は、ＲＦ信号処理部３４に供給される。ＲＦ信号処理部３４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ミニディスク９０にトラックのウォブリングにより記録されているＡＤＩＰ情報）等を抽出する。
【００５９】
ミニディスク９０の再生時には、ＲＦ信号処理部３４で得られた再生ＲＦ信号は、ＡＤＩＰ＿ＰＬＬ回路３５及びＥＦＭ＿ＰＬＬ回路３６を介して、ＥＦＭ及び／又はＡＣＩＲＣ符号化復調部（ＥＦＭ／ＡＣＩＲＣコーデック）３７で処理される。また、ＲＦ信号処理部３４から出力されるトラッキングエラー信号（Detrack）、フォーカスエラー信号（Defocus）、レンズシフト信号（LensShift）は、後段の各サーボ信号処理回路に供給され、グルーブ情報は、ＡＤＩＰ＿ＰＬＬ回路３５に供給される。ＡＤＩＰ＿ＰＬＬ回路３５は、グルーブ情報に対してバンドパスフィルタにより帯域制限してウォブル成分を抽出した後、ＦＭ復調、バイフェーズ復調を行ってＡＤＩＰアドレスを抽出する。また、グルーブ情報は、スピンドルサーボ制御のためにサーボ信号処理回路４６に戻される。
【００６０】
再生ＲＦ信号は、ＥＦＭ及び／又はＡＣＩＲＣ符号化復調部３７で２値化されてＥＦＭ信号列とされた後、ＥＦＭ復調され、更にＡＣＩＲＣ復調のための誤り訂正とデインターリーブ処理とが行われる。オーディオデータであれば、この時点でＡＴＲＡＣ圧縮データの状態である。復調されたＡＴＲＡＣ圧縮データは、ミニディスク９０からの再生データとしてメモリコントローラ３８を介してＤＲＡＭ３９に出力され、ＡＴＲＡＣ符号化復号部（ＡＴＲＡＣコーデック）４０にてＡＴＲＡＣ復号され、ＡＤ／ＤＡコンバータ４１及びアンプ４２を介してヘッドホン或いはスピーカといった出力部４３から出力される。データ記録装置１は、マイク４４、アンプ４５、ＡＤ／ＤＡコンバータ４１を介して外部音声を取得する。
【００６１】
サーボ信号処理回路４６は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成し、駆動回路５０に送る。また、サーボ信号処理回路４７，４８，４９は、ＲＦ信号処理部３４から供給されたトラッキングエラー信号、フォーカスエラー信号、レンズシフト、トラックジャンプ指令、アクセス指令等に基づいて各種サーボ制御信号（トラッキング制御信号、フォーカス制御信号、スレッド制御信号、スピンドル制御信号等）を生成し、各駆動回路５１，５２，５３に対して出力する。すなわち、各サーボ信号処理回路は、上記サーボエラー信号又は指令に対して位相補償処理、ゲイン処理、目標値設定処理等の必要処理を行って各種サーボ制御信号を生成する。
【００６２】
各駆動回路５０，５１，５２，５３では、サーボ信号処理回路から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ３１を駆動するスピンドルモータ駆動信号となる。このようなサーボドライブ信号により、ミニディスク９０に対するフォーカス制御、トラッキング制御、及びスピンドルモータ３１に対するＣＬＶ制御又はＺＣＡＶ制御が行われる。
【００６３】
ミニディスク９０に対して記録動作が実行される際には、図５に示したメモリ転送コントローラ１２からのデータ、或いはオーディオ処理部１９からの通常のＡＴＲＡＣ圧縮データが供給される。ミニディスク９０に対する記録時は、ＥＦＭ及び／又はＡＣＩＲＣ符号化復調部３７が機能する。オーディオ信号であれば、オーディオ処理部１９からの圧縮データは、ＡＣＩＲＣエンコーダでインターリーブ及びエラー訂正コード付加が行われた後、ＥＦＭ変調される。ＥＦＭ変調データが磁気ヘッドドライバ５４に供給され、磁気ヘッド３３がミニディスク９０に対してＥＦＭ変調データに基づいた磁界印加を行うことで変調されたデータが記録される。
【００６４】
ところで本具体例のように、ミニディスク９０が秘匿領域と通常記録領域とを有し、各領域に記録されるデータが予め決められている場合には、システムコントローラ１８は、記録再生するデータがオーディオトラックかデータトラックかに応じて指定された記録領域に基づいたアクセスをメディアドライブ部に指示することになる。データ記録装置１では、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【００６５】
続いて、データ記録装置１にて使用可能となるミニディスク９０について説明する。ここで適用できるミニディスク９０としては、従来の光磁気記録方式の変調方式を工夫した記録媒体と、従来の光磁気記録方式を採用したミニディスクの記録再生方式として通常用いられる記録フォーマットとは異なる信号方式を適用することによって秘匿性の向上と記録容量の高密度化を実現した記録媒体とがあげられる。
【００６６】
このミニディスク９０は、高密度記録技術及び新規ファイルシステムを適用することによって、従来のミニディスクと筐体外形及び記録再生光学系に互換性を有しつつ記録容量を実現している。勿論、従来の光磁気記録方式を採用したディスクに、著作権保護のための情報、データ改竄チェックのための情報、他の非公開情報等を記録するエリアを設けて秘匿性を持たせることもできる。
【００６７】
ミニディスク９０では、一連のオーディオトラック及びデータトラックは、ディスク上で必ずしも物理的に連続して記録される必要はなく、複数のパーツに分割して記録されていてもよい。パーツとは、物理的に連続して記録される区間を示す。すなわち、物理的に離れた２つのＰＣデータ記録領域が存在する場合でも、データトラックの数としては、１つとして扱われる場合もあり、複数トラックとして扱われる場合もある。
【００６８】
以下では、ミニディスク９０の仕様例について説明する。まず、従来のミニディスクの仕様について説明する。ミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式をとっている。なお、本明細書では、ウォブルとして記録される絶対アドレスをＡＤＩＰ（Address in Pregroove）ともいう。従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。また、データインターリーブには、畳み込み型を採用している。これにより、データの冗長度は、４６．３％となっている。また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００６９】
これに対して、本具体例で使用するミニディスク９０のうち従来ミニディスクと変調方式を変更したディスクの一例としては、上述した従来のミニディスクと記録媒体の物理的仕様が同一であって、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成、ＡＤＩＰアドレス読出方式、及びサーボ処理は、従来のミニディスクと同様であるため、従来ディスクとの互換性が達成されている。また、このミニディスクは、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。また、データインターリーブは、ブロック完結型としている。これによりデータの冗長度は、２０．５０％になる。また、データの検出方式は、ＰＲ（１，２，１）ＭＬによるビタビ復号方式を適用する。
【００７０】
この場合、ディスク駆動方式は、同様でＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できている。これらを総合すると、記録容量を従来ミニディスクの約２倍である３００ＭＢにすることができる。具体的には、このミニディスク９０は、例えば、磁壁移動検出方式（ＤＷＤＤ：Domain Wall Displacement Detection）等の高密度化記録技術を適用した記録媒体であって、従来のミニディスクとは、物理フォーマットが異なっている。ミニディスク９０は、トラックピッチが１．２５μｍ、ビット長が０．１６μｍ／ｂｉｔであり、線方向に高密度化されている。また、従来ミニディスクとの互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も従来ミニディスクと同一規格とされている。
【００７１】
但し、従来ミニディスクと同等の光学系を用いて、従来ミニディスクのトラックピッチよりも狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、ミニディスク９０では、グルーブの溝深さ、傾斜、幅等が変更されている。具体的には、グルーブの溝深さが１６０ｎｍ〜１８０ｎｍ、傾斜が６０°〜７０°、幅が６００ｎｍ〜８００ｎｍになっている。
【００７２】
また更に、通常用いられる記録フォーマットとは異なる信号方式を適用したミニディスク９０の場合、記録データの変調方式として、高密度記録に適合したＲＬＬ（１−７）ＰＰ変調方式（ＲＬＬ；Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００７３】
この場合のディスク駆動方式には、ＺＣＡＶ方式を用い、その線速度は、２．０ｍ／ｓとする。記録再生時の標準データレートは、９．８ＭＢ／ｓである。したがって、ミニディスク９０では、ＤＷＤＤ方式及びこの駆動方式を採用することにより、総記録容量を１ＧＢ程度としている。
【００７４】
ここで本具体例に示すミニディスク９０の盤面上のエリア構造例を図７、図８に模式的に示す。ミニディスク９０のディスクの最内周側には、プリマスタードエリアとして、ＰＴＯＣ（Premasterd Table Of Contents）が設けられている。ここには、ディスク管理情報が物理的な構造変形によるエンボスピットとして記録されている。プリマスタードエリアよりも外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアとレーザ光の出力パワー調整等のために用いられるパワーキャリブレーションエリアとが設けられている。
【００７５】
ミニディスク９０は、図７に示すように、高密度化を図るためにプリピットを用いないため、従来の光磁気記録方式を採用したミニディスクの記録再生方式として通常用いられる記録フォーマットとは異なる信号方式を適用したミニディスクには、ＰＴＯＣ領域がない。この場合のミニディスク９０には、レコーダブルエリアの更に内周領域に著作権保護のための情報、データ改竄チェックのための情報、他の非公開情報等を記録するユニークＩＤエリア（Unique ID；ＵＩＤ）が設けられている。このＵＩＤエリアは、ミニディスク９０に適用されるＤＷＤＤ方式とは異なる記録方式で記録されている。
【００７６】
なお、ここで説明した各ディスクには、音楽データ用のオーディオトラックとデータトラックとを混在記録することもできる。この場合、例えば、図９に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
【００７７】
以上説明したデータ記録装置１によれば、ＰＣ上の著作権保護されたファイルが破損又は消失したとき、バックアップデータを用いなくとも、少なくとも機器ＩＤとコンテンツＩＤであるＵＩＤに記述された情報が照合できれば、このファイルをチェックアウトした先の記録媒体からアップロードして元の格納場所のファイルを復元することができる。
【産業上の利用可能性】
【００７８】
本発明は、１次記録媒体から２次記録媒体へデータを複製して使用しているときに、破損、消失等により１次記録媒体に記録された元データが使用できなくなった場合、これを復元する方法として使用することができる。
【図面の簡単な説明】
【００７９】
【図１】本発明の具体例として示すデータ記録装置において、２次記録媒体上の音楽ファイルをＰＣにアップロードして復元するための第１の方法を説明する図である。
【図２】本発明の具体例として示すデータ記録装置において、音楽コンテンツチェックアウトしたとき、ＰＣ上の音楽データが破損或いは消失された場合を説明する図である。
【図３】本発明の具体例として示すデータ記録装置において、２次記録媒体上の音楽ファイルをＰＣにアップロードして復元するための第２の方法を説明する図である。
【図４】上記データ記録装置においてファイルの復元可否を判別する処理を説明する図である。
【図５】本発明の具体例として示すデータ記録装置を説明する構成図である。
【図６】上記データ記録装置のメディアドライブ部を説明する構成図である。
【図７】本発明の具体例に用いるミニディスクのディスク盤面上のエリア構成を説明する模式図である。
【図８】本発明の具体例に用いるミニディスクののディスク盤面上のエリア構成を説明する模式図である。
【図９】本発明の具体例として示すミニディスクにオーディオデータとＰＣ用データとを混在記録した場合の盤面上のエリア構成を説明する模式図である。
【符号の説明】
【００８０】
１    データ記録装置、  ２    ＰＣ、  ３    管理装置、
１１    メディアドライブ部、  １２    メモリ転送コントローラ、
１３    クラスタバッファメモリ、  １４    補助メモリ、
１５，１６    ＵＳＢインタフェース、  １７    ＵＳＢハブ、
１８    システムコントローラ、  １９    オーディオ処理部
【図１】
2005227894.tif 000003
【図２】
2005227894.tif 000004
【図３】
2005227894.tif 000005
【図４】
2005227894.tif 000006
【図５】
2005227894.tif 000007
【図６】
2005227894.tif 000008
【図７】
2005227894.tif 000009
【図８】
2005227894.tif 000010
【図９】
2005227894.tif 000011